(57)【特許請求の範囲】
【請求項１】
電話回線と、住戸の玄関口などに設置されたドアホンとを接続するとともに、通信装置を接続し、上記電話回線、ドアホンのいずれかを切替接続して、通信装置による通信を可能とする電話回線／ドアホン切替アダプタにおいて、上記電話回線の使用状態を検出するために電話回線に対して直列に接続された電流検出回路を、高周波信号が通過することによって抵抗値が大きくなることを抑制する構成とし、
上記電流検出回路は、上記電話回線に直列に接続して電流を検出するコイルと、このコイルに並列に接続されたコンデンサとで構成されることを特徴とする電話回線／ドアホン切替アダプタ。
【請求項２】
上記コイルとコンデンサの共振周波数を、アナログ信号の通話周波数帯及びデジタル信号の周波数帯以外の周波数としたことを特徴とする請求項１に記載の電話回線／ドアホン切替アダプタ。
【請求項３】
電話回線と、住戸の玄関口などに設置されたドアホンとを接続するとともに、通信装置を接続し、上記電話回線、ドアホンのいずれかを切替接続して、通信装置による通信を可能とする電話回線／ドアホン切替アダプタにおいて、
上記電話回線と、電話回線を通じて送出されて来る呼出信号を検出する着信検出回路との間に、電話回線と着信検出回路との接続を切り離すためのスイッチ手段を設け、上記電話回線がデジタル回線である場合に、上記スイッチ手段によって、上記電話回線と着信検出回路との接続を切り離すことを特徴とする電話回線／ドアホン切替アダプタ。
【発明の詳細な説明】
【０００１】
【発明の属する技術分野】
本発明は、電話回線とドアホンとを、電話機などの通信装置に対して切替接続する電話回線／ドアホン切替アダプタに関する。
【０００２】
【従来の技術】
図４は、従来の電話回線／ドアホン切替アダプタ（以下、単に「アダプタ」ともいう）の内部構成の一例を示すブロック図である。図示したアダプタ１００は、電話回線Ｌに接続され、ドアホン３００を接続するとともに、電話機２００を付加接続できるようになっている。また、集合住宅の各住戸に設置されたインターホンとしても構成され、集合住宅の中央（監視室、警備室など）に設置された監視盤４００に通話線Ｌ１と制御線Ｌ２とを介して接続されている。
【０００３】
このアダプタ１００は、アダプタ１００自身にも通話機能を備えているため、アダプタ１００によって、電話回線Ｌを通じた通話、ドアホン３００との通話、監視室や警備室などに設置された監視盤４００との通話、監視盤４００に更に接続された集合玄関子機５００（ロビーインターホン）との通話を可能とするとともに、電話機２００においても、アダプタ１００の切替制御により、電話回線Ｌ、ドアホン３００、監視盤４００、集合玄関子機５００との通話を可能にしている。
【０００４】
アダプタ１００は、ＣＰＵなどで構成され、以下の各部を制御する制御部１１０と、電話機２００の接続を、電話回線Ｌとドアホン３００等との間で切り替える切替リレー１１１と、電話回線Ｌの使用状態を検出する外線使用状態検出回路１１２と、電話回線Ｌを通じた呼出を検出する着信検出回路１１３と、電話機２００からのダイヤル信号を検出するダイヤル検出部１１４と、ドアホン３００、監視盤４００、集合玄関子機５００との通話を制御するドアホン通話制御回路１１５と、このアダプタ１００自身での通話を行うため、スピーカＳＰ及びマイクＭＩを有した通話回路１１６と、このアダプタ１００自身から呼出音を発生させるための呼出音発生部１１７と、このアダプタ１００で通話をするために応答時に操作する通話釦１１８と備えている。
【０００５】
通常の待機時では、切替リレー１１１は、電話機２００を電話回線Ｌに接続しており、ドアホン３００、監視盤４００、集合玄関子機５００のいずれかからの呼出を、ドアホン通話制御回路１１５が検出すると、制御部１１０は、切替リレー１１１を切り替えて、電話機２００とドアホン通話制御回路１１５とを接続し、ドアホン通話制御回路１１５から電話機２００に対し、呼出信号（６０Ｈｚ、約１８０Ｖｐ−ｐ）を送出する。
【０００６】
この呼出に対して、電話機２００が受話器を取り上げる等で応答すれば、ドアホン通話制御回路１１５は呼出信号の送出を停止して、電話機２００とドアホン３００等との間での通話状態に移行する。
電話機２００では、例えば、集合玄関子機５００との通話中に、所定のダイヤル操作（例えば「５」をダイヤル）を行うと、ダイヤル検出部１１４がこれを検出し、制御部１１０が制御線Ｌ２を通じて解錠信号を送出する。すると、集合玄関子機５００側の電気錠が解錠できるようになっている。その後、電話機２００において受話器を元に戻せば、切替リレー１１１は、電話機２００と電話回線Ｌを接続するように切り替わる。
【０００７】
なお、ドアホン３００等からの呼出を検知したときには、アダプタ１００自身からも呼出音発生部１１７によって呼出音を出力し、通話釦１１８の操作によって応答してドアホン通話をすることもできる。
また、電話機２００が電話回線Ｌを介して通話中であることを、外線使用状態検出回路１１２が検出している状態において、ドアホン通話制御回路１１５が、ドアホン３００側からの呼出を検知したときには、呼出信号を送出して、通話信号に重畳させるとともに、呼出音発生部１７からも呼出音を出力する。これに対して電話機２００で、受話器を元に戻す（オンフック）などで応答すると、電話回線Ｌを介した通話を終了し、再度受話器を取り上げれば（オフフック）、ドアホン３００側との通話を開始できる。また、アダプタ１００において、通話釦１１８の操作によって応答してドアホン通話をすることもできる。このとき、電話機２００による通話は継続できる。
【０００８】
一方、電話機２００においてドアホン３００等と通話中に、電話回線Ｌを通じて呼出信号が送出されて来たときには、これを着信検出回路１１３が検出し、ドアホン通話制御回路１１５が呼出信号を送出して、通話信号に重畳させる。これに対して電話機２００では、受話器を元に戻す（オンフック）などで応答すると、ドアホン３００等との通話を終了し、再度受話器を取り上げれば（オフフック）、電話回線Ｌを介して通話を開始できる。
【０００９】
【発明が解決しようとする課題】
ところが、上記従来の電話回線／ドアホン切替アダプタは、電話回線と直列に、電話回線の使用状態を検出する外線使用状態検出回路（図４の１１２）を設けているため、使用する電話回線を、アナログ回線から、ＩＳＤＮなどのデジタル回線に変更した場合、外線使用状態検出回路にデジタル信号が通過すると、信号波形に減衰や歪み等が生じ、伝送エラーになる等の通信に支障がでる場合がある。すなわち、外線使用状態検出回路では、コイルを使用して、このコイルに流れる電流によって、電話回線の使用を判断しているため、コイルの抵抗値が大きくなれば、信号の減衰などが生じてしまう。
【００１０】
図５は、外線使用状態検出回路による抵抗値と、この回路を通過する信号の周波数の関係を示した図である。電話回線がアナログ回線である場合には、通話帯域は低い周波数なので、抵抗値が大きくなることはないが、デジタル信号の高周波帯域では、抵抗値は大きくなる。
また、従来の電話回線／ドアホン切替アダプタは、電話回線から送出されて来る呼出信号（１６Ｈｚ）を検出するために、着信検出回路（図４の１１３）を設けているため、電話回線をデジタル回線に変更したときに、この着信検出回路が余分な負荷となって、信号波形に減衰や歪み等が生じ、伝送エラーになる等の通信に支障がでる場合がある。
【００１１】
本発明は、このような事情に鑑みてなされたものであり、電話回線をデジタル回線に変更した場合でも、正常に通信ができる電話回線／ドアホン切替アダプタを提供することを目的としている。
【００１２】
【課題を解決するための手段】
上記目的を達成するために、本発明は、電話回線と、住戸の玄関口などに設置されたドアホンとを接続するとともに、通信装置を接続し、電話回線、ドアホンのいずれかを切替接続して、通信装置による通信を可能とする電話回線／ドアホン切替アダプタの改良を提案する。
【００１３】
ここに通信装置には、電話回線がアナログ回線の場合、通常のアナログ電話機や、モデムを備えたファクシミリ装置やパソコンなどがあり、電話回線がデジタル回線の場合は、デジタル電話機、Ｇ４ファクシミリ装置、テレビ電話機、ターミナルアダプタ（ＴＡ）に接続された電話機やパソコンなどがある。なお、ＤＳＵ（回線終端装置）や、ＤＳＵに接続されるＴＣ（宅内制御装置）もこの通信装置に含まれる。
【００１４】
請求項１では、電話回線の使用状態を検出するために電話回線に対して直列に接続された電流検出回路を、高周波信号が通過することによって抵抗値が大きくなることを抑制する構成とし、上記電流検出回路は、電話回線に直列に接続して電流を検出するコイルと、このコイルに並列に接続されたコンデンサとで構成されることを特徴とする。
【００１５】
請求項２では、請求項１において、コイルとコンデンサの共振周波数を、アナログ信号の通話周波数帯及びデジタル信号の周波数帯以外の周波数としたことを特徴とする。
【００１６】
請求項３では、電話回線と、電話回線を通じて送出されて来る呼出信号を検出する着信検出回路との間に、電話回線と着信検出回路との接続を切り離すためのスイッチ手段を設け、電話回線がデジタル回線である場合に、スイッチ手段によって、電話回線と着信検出回路との接続を切り離すことを特徴とする。
ここに、デジタル回線にはＩＳＤＮ（統合サービスデジタル通信網）やＤＤＸ網（デジタルデータ交換網）などがある。デジタル回線に接続したときは、アナログ信号で送信されて来る呼出信号（１６Ｈｚ）を検出する着信検出回路は必要ではなく、また、通信装置によるドアホン側との通話を禁止し、アダプタでは、デジタル信号で送信されて来る呼出信号を検出する必要がないため、電話回線と着信検出回路との接続を切り離しても支障がない。電話網や放送網などのアナログ回線に接続するときは、スイッチ手段により、電話回線と着信検出回路との接続を切り離すことはしない。
【００１７】
【発明の実施の形態】
以下に、本発明の実施の形態について、図面とともに説明する。
図１は、電話回線／ドアホン切替アダプタの構成の一例を示したブロック図である。電話回線／ドアホン切替アダプタ１は、電話回線Ｌと、住戸の玄関口などに設置されたドアホン３とを接続するとともに、電話機などの通信装置を接続し、電話回線Ｌ、ドアホン３のいずれかを切替接続して、通信装置による通信を可能とする。
【００１８】
なお、ドアホン３は１台には限定されず、複数台であってもよい。また、通信装置も複数台の接続を可能とする。これらの場合、複数台のドアホン３の間、又は、複数台の通信装置の間において、切替制御が行われる。
電話回線Ｌがアナログ回線の場合は、通信装置として、通常のアナログ電話機や、モデムを備えたファクシミリ装置やパソコンなどが接続され、電話回線Ｌがデジタル回線の場合は、通信装置として、デジタル電話機、Ｇ４ファクシミリ装置、テレビ電話機、ターミナルアダプタ（ＴＡ）に接続された電話機やパソコンなどが接続される。なお、ＤＳＵ（回線終端装置）や、ＤＳＵに接続されるＴＣ（宅内制御装置）も、デジタル回線に接続される通信装置に含まれる。
【００１９】
したがって、アナログ回線に接続するときは、アナログ電話機やモデム等のアナログ端末を接続して、ＤＳＵなどは不要となり、デジタル回線に接続するときは、ＩＳＤＮ用電話機やデジタル端末を接続する。
アナログ回線には電話網や放送網などがあり、デジタル回線にはＩＳＤＮ（統合サービスデジタル通信網）やＤＤＸ網（デジタルデータ交換網）などがある。この図では、電話回線Ｌは、デジタル回線であるＩＳＤＮであり、通信装置として、ＤＳＵ２を接続している場合を示しており、ＤＳＵ２には、更に電話機などの通信装置を接続するようになっている。
【００２０】
なお、ここでは、電話回線Ｌに対して、ＤＳＵ２の前段にアダプタ１を接続する場合を示したが、本発明では、これに限定されることはなく、電話回線Ｌに接続されたＤＳＵ２の後段にアダプタ１を接続する構成であってもよい。
本発明のアダプタ１は、電話回線Ｌとドアホン３とを切替接続するだけではなく、集合住宅の監視室などに設置された監視盤４などとの切替接続も可能になっており、図では、その場合の構成を示している。したがって、このアダプタ１は、一戸建ての住戸以外に、集合住宅の住戸においても適用できる。
【００２１】
アダプタ１と監視盤４とは、通話線Ｌ１と、多重伝送を行う制御線Ｌ２とを介して接続されており、監視盤４には更に、集合住宅の共同玄関に設置された集合玄関子機５（ロビーインターホン）を接続している。
ここでは、更に、アダプタ１は、集合住宅の各住戸に設置されたインターホンとして構成されており、このアダプタ１自身において、ドアホン３との通話、監視盤４との通話、監視盤４に更に接続された集合玄関子機５との通話を可能としている。なお、ここでは、ダイヤル操作部を備えずに、アダプタ１自身では、電話回線Ｌを通じた通信機能は備えていないものとしているが、これに限定されるものではない。
【００２２】
このアダプタ１は、図４に示した従来の構成と同様に、ＣＰＵなどで構成され、以下の各部を制御する制御部１０と、リレーなどで構成され、ＤＳＵ２などの通信装置側との接続を、電話回線Ｌとドアホン３等との間で切り替える切替部１１と、電話回線Ｌの使用状態を検出する外線使用状態検出回路１２と、電話回線Ｌを通じた呼出信号を検出する着信検出回路１３と、通信装置側からのダイヤル信号を検出するダイヤル検出部１４と、ドアホン３、監視盤４、集合玄関子機５との通話を制御するドアホン通話制御回路１５と、このアダプタ１自身での通話を行うため、スピーカＳＰ及びマイクＭＩを有した通話回路１６と、このアダプタ１自身から呼出音を発生させるための呼出音発生部１７と、このアダプタ１で通話をするために応答時に操作する通話釦１８と備えている。なお、アダプタ１は、図示したようなハンズフリー通話を行う構成には限定されず、ハンドセットを備えた構成であってもよい。
【００２３】
外線使用状態検出回路１２は、電話回線Ｌの使用状態を検出するために電話回線Ｌに対して直列に接続された電流検出回路を構成しており、この回路に流れる電流を検出して、電話回線Ｌの使用状態を判断しているが、本発明では、この回路１２を、高周波信号が通過することによって抵抗値が大きくなることを抑制する構成にしている。具体的には、電話回線Ｌに直列に接続して電流を検出するコイルＣＯと、このコイルＣＯに並列に接続されたコンデンサＣとで構成されている。また、図２の周波数と抵抗値の関係に示すように、コイルＣＯとコンデンサＣの共振周波数を、アナログ信号の通話周波数帯及びデジタル信号の周波数帯以外の周波数（図中の矢印Ｐ）としている。
【００２４】
本発明によれば、図示したように、電話回線Ｌをデジタル回線に変更した場合に、外線使用状態検出回路１２に高周波数のデジタル信号が通過したとしても、抵抗値が大きくなることを抑制できるため、信号の減衰や歪み等が生じることがなく、正常な通信ができる。また、コンデンサＣを設けるだけの簡単な構成によって、正常な通信が実現できる。更に、コイルＣＯとコンデンサＣの共振周波数を、アナログ信号の通話周波数帯及びデジタル信号の周波数帯以外の周波数にしているので、デジタル回線に接続した場合の通信と、アナログ回線に接続した場合の通信のいずれにおいても、信号の減衰などが生じない。
【００２５】
以下に、本発明の電話回線／ドアホン切替アダプタ１をデジタル回線に接続した場合の動作を説明する。
切替部１１は、ＤＳＵ２の電話回線Ｌ側への接続を維持しており、電話回線Ｌを介したデジタル通信ができるようになっている。ドアホン通話制御回路１５は、電圧降下などでドアホン３からの呼出を検出するとともに、制御線Ｌ２を通じた呼出信号の受信により、監視盤４又は集合玄関子機５からの呼出を検出できるようになっており、このドアホン通話制御回路１５がこれらの呼出を検出すると、制御部１０は、スイッチなどによってデジタル回線に接続したことが設定されていれば、切替部１１を切り替えずに、ＤＳＵ２と電話回線Ｌの接続を維持するとともに、呼出音発生部１７によって、スピーカＳＰから「ピンポン」といった呼出音を出力する。この呼出に対して、通話釦１８を操作して応答すると、通話回路１６によって、マイクＭＩとスピーカＳＰとを用いたドアホン３等との通話状態に移行する。
【００２６】
また、このアダプタ１が、通話回路１６によってドアホン通話中に、電話回線Ｌを通じて呼出があったときには、切替部１１は電話回線Ｌ側に接続を維持しているので、通信装置側で呼出信号を検出し、応答することが可能である。また、アダプタ１が監視盤４又は集合玄関子機５と通話中に、電話回線Ｌを通じて呼出があったときも同様である。
【００２７】
このように、アダプタ１に通話機能を備えていれば、デジタル回線に接続した場合に、ドアホン３から呼出があったときには、呼出音発生部１７によって呼出音を発生させて、通話回路１６によるドアホン通話が可能となる。
次に、電話回線／ドアホン切替アダプタの別の構成を、図３に示す。
このアダプタ１Ａは、図４に示した従来の構成とは、電話回線Ｌと、電話回線Ｌを通じて送出されて来る呼出信号を検出する着信検出回路１３との間に、電話回線Ｌと着信検出回路１３との接続を切り離すためのスイッチ手段１９を設けた点のみが異なっている。
【００２８】
電話回線Ｌをデジタル回線に変更したときに、スイッチ手段１９によって、電話回線Ｌと着信検出回路１３との接続を切り離すようにする。これによって、電話回線Ｌをデジタル回線に変更したときに、着信検出回路１３が余分な負荷となって、信号波形に減衰や歪み等が生じる場合がなく、正常に通信ができる。
デジタル回線に接続したときは、アナログ信号で送信されて来る呼出信号（１６Ｈｚ）を検出する着信検出回路１３は必要ではなく、また、通信装置によるドアホン３側との通話を禁止しており、アダプタ１Ａでは、デジタル信号で送信されて来る呼出信号を検出する必要がないため、電話回線Ｌと着信検出回路１３との接続を切り離しても支障がない。
【００２９】
デジタル回線に接続した場合、電話回線Ｌを通じて呼出があったときは、通信装置において通信を行い、ドアホン３側から呼出があったときには、アダプタ１ＡのマイクＭＩ及びスピーカＳＰによってドアホン通話を行う。
一方、アナログ回線に接続するときは、スイッチ手段１９によって、電話回線Ｌと着信検出回路１３との接続を切り離すことはせずに、着信検出回路１３において呼出信号が検出できるようにしておけば、従来と同様に動作する。
【００３０】
以上では、図１に外線使用状態検出回路１２に特徴を有するアダプタ１を示し、図３にスイッチ手段１９を設けたアダプタ１Ａを示して、これらを別々に説明したが、アダプタ１，１Ａの構成は、両方を同時に備えるものであってもよい。
【００３１】
【発明の効果】
以上の説明からも理解できるように、本発明の請求項１又は請求項２に記載の電話回線／ドアホン切替アダプタによれば、電話回線の使用状態を検出するための電流検出回路を、高周波信号が通過することによって抵抗値が大きくなることを抑制する構成にしているので、電話回線をデジタル回線に変更した場合でも、配線をしなおす必要がなく、正常な通信を行うことが出来る。
【００３２】
特に、請求項１では、電流検出回路をコイルとコンデンサとで簡易に構成できる。また、請求項２では、コイルとコンデンサの共振周波数を、アナログ信号の通話周波数帯及びデジタル信号の周波数帯以外の周波数にしたので、デジタル回線に接続した場合の通信と、アナログ回線に接続した場合の通信のいずれにも、支障をきたすことがない。
【００３３】
本発明の請求項３に記載の電話回線／ドアホン切替アダプタによれば、電話回線と着信検出回路との接続を切り離すためのスイッチ手段を設けたので、電話回線をデジタル回線に変更したときに、スイッチ手段によって、電話回線と着信検出回路との接続を切り離すようにすれば、着信検出回路が余分な負荷となることがなく、信号波形に減衰や歪み等が生じず、正常に通信ができる。
【図面の簡単な説明】
【図１】本発明の電話回線／ドアホン切替アダプタの構成の一例を示すブロック図である。
【図２】本発明の電話回線／ドアホン切替アダプタによる周波数と抵抗値の関係を示した図である。
【図３】本発明の電話回線／ドアホン切替アダプタの他の構成の一例を示すブロック図である。
【図４】従来の電話回線／ドアホン切替アダプタの構成の一例を示すブロック図である。
【図５】従来の電話回線／ドアホン切替アダプタによる周波数と抵抗値の関係を示した図である。
【符号の説明】
１，１Ａ  電話回線／ドアホン切替アダプタ
１０      制御部
１１      切替部
１２      外線使用状態検出回路
１３      着信検出回路
１９      スイッチ手段
２        ＤＳＵ
３        ドアホン
Ｌ        電話回線
【図１】
0003702725.tif 000002
【図２】
0003702725.tif 000003
【図３】
0003702725.tif 000004
【図４】
0003702725.tif 000005
【図５】
0003702725.tif 000006